(57)【要約】【課題】透析用粉末剤の溶解過程において溶解槽の内周壁面に固着した透析用粉末剤を容易且つ確実に溶解させることができる透析用粉末剤の溶解装置及び透析用粉末剤の溶解方法を提供する。【解決手段】第１溶解槽２の液体を第２溶解槽３まで送液可能な送液ポンプＰ１と、第２溶解槽３内にて所定の液位を超えた液体を第１溶解槽２に流動させ得るオーバーフローラインＬ５と、第２溶解槽に配設された攪拌手段４と、送液ポンプＰ１を制御して任意タイミングにて送液し得る制御手段５とを具備し、第１溶解槽２に供給された水で第２溶解槽３に収容された透析用粉末剤を溶解して透析用原液を作製可能な透析用粉末剤の溶解装置において、制御手段５は、透析用粉末剤の溶解過程において、送液ポンプＰ１を制御することにより第２溶解槽３内の液位を低下させる液位低下工程を行わせ得るものである。【選択図】図５
2018175285.tif 000002
【特許請求の範囲】
【請求項１】
給水源から供給された所定容量の水を収容可能な第１溶解槽と、
透析用粉末剤を予め収容可能な第２溶解槽と、
前記第１溶解槽の底部と前記第２溶解槽の底部とを連通して当該第１溶解槽と第２溶解槽との間で液体を流動させ得る第１流路と、
前記第１流路に取り付けられ、前記第１溶解槽の液体を前記第２溶解槽まで送液可能な送液ポンプと、
前記第１溶解槽の上部と前記第２溶解槽の上部とを連通して当該第２溶解槽内にて所定の液位を超えた液体を前記第１溶解槽に流動させ得る第２流路と、
前記第２溶解槽に配設され、前記第１流路にて当該第２溶解槽に流動した液体を攪拌し得る攪拌手段と、
前記送液ポンプを制御して任意タイミングにて送液し得る制御手段と、
を具備し、前記第１溶解槽と第２溶解槽との間で液体を循環させることにより、前記第１溶解槽に供給された水で前記第２溶解槽に収容された透析用粉末剤を溶解して透析用原液を作製可能な透析用粉末剤の溶解装置において、
前記制御手段は、透析用粉末剤の溶解過程において、前記送液ポンプを制御することにより前記第２溶解槽内の液位を低下させる液位低下工程を行わせ得ることを特徴とする透析用粉末剤の溶解装置。
【請求項２】
前記第１溶解槽と第２溶解槽との間で高低差を有するとともに、前記送液ポンプの駆動を停止又は前記送液ポンプを断続的に駆動させることにより前記液位低下工程が行われることを特徴とする請求項１記載の透析用粉末剤の溶解装置。
【請求項３】
前記送液ポンプは、逆転駆動可能とされ、当該逆転駆動させることにより前記液位低下工程が行われることを特徴とする請求項１記載の透析用粉末剤の溶解装置。
【請求項４】
前記第２溶解槽は、前記液位低下工程中又は液位低下工程後、その内周壁面に固着した透析用粉末剤に向かって散水可能な散水手段を具備したことを特徴とする請求項１〜３の何れか１つに記載の透析用粉末剤の溶解装置。
【請求項５】
前記第２溶解槽は、前記液位低下工程中又は液位低下工程後、その内周壁面に固着した透析用粉末剤に対して振動を付与し得る振動付与手段を具備したことを特徴とする請求項１〜３の何れか１つに記載の透析用粉末剤の溶解装置。
【請求項６】
給水源から供給された所定容量の水を収容可能な第１溶解槽と、
透析用粉末剤を予め収容可能な第２溶解槽と、
前記第１溶解槽の底部と前記第２溶解槽の底部とを連通して当該第１溶解槽と第２溶解槽との間で液体を流動させ得る第１流路と、
前記第１流路に取り付けられ、前記第１溶解槽の液体を前記第２溶解槽まで送液可能な送液ポンプと、
前記第１溶解槽の上部と前記第２溶解槽の上部とを連通して当該第２溶解槽内にて所定の液位を超えた液体を前記第１溶解槽に流動させ得る第２流路と、
前記第２溶解槽に配設され、前記第１流路にて当該第２溶解槽に流動した液体を攪拌し得る攪拌手段と、
前記送液ポンプを制御して任意タイミングにて送液し得る制御手段と、
を具備し、前記第１溶解槽と第２溶解槽との間で液体を循環させることにより、前記第１溶解槽に供給された水で前記第２溶解槽に収容された透析用粉末剤を溶解して透析用原液を作製可能な溶解装置による透析用粉末剤の溶解方法において、
透析用粉末剤の溶解過程において、前記送液ポンプを制御することにより前記第２溶解槽内の液位を低下させる液位低下工程を行わせることを特徴とする透析用粉末剤の溶解方法。
【請求項７】
前記第１溶解槽と第２溶解槽との間で高低差を有するとともに、前記送液ポンプの駆動を停止又は前記送液ポンプを断続的に駆動させることにより前記液位低下工程が行われることを特徴とする請求項６記載の透析用粉末剤の溶解方法。
【請求項８】
前記送液ポンプは、逆転駆動可能とされ、当該逆転駆動させることにより前記液位低下工程が行われることを特徴とする請求項６記載の透析用粉末剤の溶解方法。
【請求項９】
前記液位低下工程中又は液位低下工程後、前記第２溶解槽の内周壁面に固着した透析用粉末剤に向かって散水することを特徴とする請求項６〜８の何れか１つに記載の透析用粉末剤の溶解方法。
【請求項１０】
前記液位低下工程中又は液位低下工程後、前記第２溶解槽の内周壁面に固着した透析用粉末剤に対して振動を付与することを特徴とする請求項６〜８の何れか１つに記載の透析用粉末剤の溶解方法。
【発明の詳細な説明】
【技術分野】
【０００１】
本発明は、透析用粉末剤を溶解して透析用原液を得るための透析用粉末剤の溶解装置及び透析用粉末剤の溶解方法に関するものである。
【背景技術】
【０００２】
病院等で腎不全患者の治療に使用される透析液は、一般に重炭酸塩系と酢酸系とに区分され、このうち重炭酸塩系の透析液は、重炭酸ナトリウムを含まないもの（以下、Ａ剤という。）と重炭酸ナトリウム（以下、Ｂ剤という。）の２種類の剤に水を混合して調整されるものである。近年、運搬性向上の観点から、これらＡ剤及びＢ剤を粉末化したもの（以下、「透析用粉末剤」という。）を透析治療直前や透析治療中に溶解する試みがなされている。
【０００３】
すなわち、透析用粉末剤を溶解して作製される原液（Ａ剤を溶解したＡ原液やＢ剤を溶解したＢ原液）は、清浄性の観点から溶解後にできるだけ早く治療に使用することが好ましく、特にＢ原液は、経時的に成分が変化する虞があるため、作り置きして長時間放置しておくことは好ましくないことから、透析治療直前にＡ原液やＢ原液を作製する必要があり、さらに、透析治療中においてＡ原液やＢ原液が不足した場合、それぞれの原液を追加で作製する必要がある。
【０００４】
しかるに、医療施設においてその日の最初の透析治療が行われる際、治療前に予め投入しておいた透析用粉末剤を溶解（準備溶解）し得る溶解装置について提案されている。例えば、従来、２つの溶解槽を有し、治療前日の夜等、一方の溶解槽に予め透析用粉末剤を投入しておくとともに、治療直前において給水源から他方の溶解槽に給水し、その水を一方の溶解槽に送液しつつ循環させて透析用粉末剤を溶解することにより透析用原液を作成可能な溶解装置について開示されている（特許文献１参照）。
【先行技術文献】
【特許文献】
【０００５】
【特許文献１】特開２００１−９０２８号公報
【発明の概要】
【発明が解決しようとする課題】
【０００６】
しかしながら、上記従来技術においては、予め透析用粉末剤が収容された溶解槽に水を送液して循環させる際、その溶解槽の内周壁面（特に、予め透析用粉末薬剤が収容された溶解槽の上部における内周壁面）に水分を含んで固まった透析用粉末剤が固着してしまうことがあり、溶解時間を予め長めに設定する必要があった。また、溶解槽の下部に撹拌手段を具備していても、溶解槽の上部に撹拌効果を十分に及ぼすことができず、溶けきれない透析用粉末剤が溶解槽の上部における内周壁面に固着してしまうことがある。
【０００７】
本発明は、このような事情に鑑みてなされたもので、透析用粉末剤の溶解過程において溶解槽の内周壁面に固着した透析用粉末剤を容易且つ確実に溶解させることができる透析用粉末剤の溶解装置及び透析用粉末剤の溶解方法を提供することにある。
【課題を解決するための手段】
【０００８】
請求項１記載の発明は、給水源から供給された所定容量の水を収容可能な第１溶解槽と、透析用粉末剤を予め収容可能な第２溶解槽と、前記第１溶解槽の底部と前記第２溶解槽の底部とを連通して当該第１溶解槽と第２溶解槽との間で液体を流動させ得る第１流路と、前記第１流路に取り付けられ、前記第１溶解槽の液体を前記第２溶解槽まで送液可能な送液ポンプと、前記第１溶解槽の上部と前記第２溶解槽の上部とを連通して当該第２溶解槽内にて所定の液位を超えた液体を前記第１溶解槽に流動させ得る第２流路と、前記第２溶解槽に配設され、前記第１流路にて当該第２溶解槽に流動した液体を攪拌し得る攪拌手段と、前記送液ポンプを制御して任意タイミングにて送液し得る制御手段とを具備し、前記第１溶解槽と第２溶解槽との間で液体を循環させることにより、前記第１溶解槽に供給された水で前記第２溶解槽に収容された透析用粉末剤を溶解して透析用原液を作製可能な透析用粉末剤の溶解装置において、前記制御手段は、透析用粉末剤の溶解過程において、前記送液ポンプを制御することにより前記第２溶解槽内の液位を低下させる液位低下工程を行わせ得ることを特徴とする。
【０００９】
請求項２記載の発明は、請求項１記載の透析用粉末剤の溶解装置において、前記第１溶解槽と第２溶解槽との間で高低差を有するとともに、前記送液ポンプの駆動を停止又は前記送液ポンプを断続的に駆動させることにより前記液位低下工程が行われることを特徴とする。
【００１０】
請求項３記載の発明は、請求項１記載の透析用粉末剤の溶解装置において、前記送液ポンプは、逆転駆動可能とされ、当該逆転駆動させることにより前記液位低下工程が行われることを特徴とする。
【００１１】
請求項４記載の発明は、請求項１〜３の何れか１つに記載の透析用粉末剤の溶解装置において、前記第２溶解槽は、前記液位低下工程中又は液位低下工程後、その内周壁面に固着した透析用粉末剤に向かって散水可能な散水手段を具備したことを特徴とする。
【００１２】
請求項５記載の発明は、請求項１〜３の何れか１つに記載の透析用粉末剤の溶解装置において、前記第２溶解槽は、前記液位低下工程中又は液位低下工程後、その内周壁面に固着した透析用粉末剤に対して振動を付与し得る振動付与手段を具備したことを特徴とする。
【００１３】
請求項６記載の発明は、給水源から供給された所定容量の水を収容可能な第１溶解槽と、透析用粉末剤を予め収容可能な第２溶解槽と、前記第１溶解槽の底部と前記第２溶解槽の底部とを連通して当該第１溶解槽と第２溶解槽との間で液体を流動させ得る第１流路と、前記第１流路に取り付けられ、前記第１溶解槽の液体を前記第２溶解槽まで送液可能な送液ポンプと、前記第１溶解槽の上部と前記第２溶解槽の上部とを連通して当該第２溶解槽内にて所定の液位を超えた液体を前記第１溶解槽に流動させ得る第２流路と、前記第２溶解槽に配設され、前記第１流路にて当該第２溶解槽に流動した液体を攪拌し得る攪拌手段と、前記送液ポンプを制御して任意タイミングにて送液し得る制御手段とを具備し、前記第１溶解槽と第２溶解槽との間で液体を循環させることにより、前記第１溶解槽に供給された水で前記第２溶解槽に収容された透析用粉末剤を溶解して透析用原液を作製可能な溶解装置による透析用粉末剤の溶解方法において、透析用粉末剤の溶解過程において、前記送液ポンプを制御することにより前記第２溶解槽内の液位を低下させる液位低下工程を行わせることを特徴とする。
【００１４】
請求項７記載の発明は、請求項６記載の透析用粉末剤の溶解方法において、前記第１溶解槽と第２溶解槽との間で高低差を有するとともに、前記送液ポンプの駆動を停止又は前記送液ポンプを断続的に駆動させることにより前記液位低下工程が行われることを特徴とする。
【００１５】
請求項８記載の発明は、請求項６記載の透析用粉末剤の溶解方法において、前記送液ポンプは、逆転駆動可能とされ、当該逆転駆動させることにより前記液位低下工程が行われることを特徴とする。
【００１６】
請求項９記載の発明は、請求項６〜８の何れか１つに記載の透析用粉末剤の溶解方法において、前記液位低下工程中又は液位低下工程後、前記第２溶解槽の内周壁面に固着した透析用粉末剤に向かって散水することを特徴とする。
【００１７】
請求項１０記載の発明は、請求項６〜８の何れか１つに記載の透析用粉末剤の溶解方法において、前記液位低下工程中又は液位低下工程後、前記第２溶解槽の内周壁面に固着した透析用粉末剤に対して振動を付与することを特徴とする。
【発明の効果】
【００１８】
請求項１、６の発明によれば、透析用粉末剤の溶解過程において、送液ポンプを制御することにより第２溶解槽内の液位を低下させる液位低下工程を行わせるので、透析用粉末剤の溶解過程において溶解槽の内周壁面に固着した透析用粉末剤を容易且つ確実に溶解させることができる。
【００１９】
請求項２、７の発明によれば、第１溶解槽と第２溶解槽との間で高低差を有するとともに、送液ポンプの駆動を停止又は送液ポンプを断続的に駆動させることにより液位低下工程が行われるので、送液ポンプの制御によって、第２溶解槽の液体を第１溶解槽に向かって自重で流出させることにより液位低下工程を行わせることができる。
【００２０】
請求項３、８の発明によれば、送液ポンプは、逆転駆動可能とされ、当該逆転駆動させることにより液位低下工程が行われるので、送液ポンプの逆転駆動によって、第２溶解槽の液体を第１溶解槽に向かって強制的に流出させることにより液位低下工程を行わせることができる。
【００２１】
請求項４、９の発明によれば、液位低下工程中又は液位低下工程後、第２溶解槽の内周壁面に固着した透析用粉末剤に向かって散水するので、固着した透析用粉末剤の内周壁面からの剥離を散水によって促進することができる。
【００２２】
請求項５、１０の発明によれば、液位低下工程中又は液位低下工程後、第２溶解槽の内周壁面に固着した透析用粉末剤に対して振動を付与するので、固着した透析用粉末剤の内周壁面からの剥離を振動によって促進することができる。
【図面の簡単な説明】
【００２３】
【図１】本発明の実施形態に係る溶解装置を示す斜視図
【図２】同溶解装置を示す３面図
【図３】図２におけるＩＩＩ−ＩＩＩ線断面図
【図４】同溶解装置が適用される血液浄化システムを示す模式図
【図５】同溶解装置の構成を概念的に示す模式図
【図６】同溶解装置における制御手段による制御内容を示すフローチャート
【図７】同溶解装置の構成（一次給水）を概念的に示す模式図
【図８】同溶解装置の構成（一次給水予備循環）を概念的に示す模式図
【図９】同溶解装置の構成（液位低下工程）を概念的に示す模式図
【図１０】同溶解装置の構成（一次給水シャワー）を概念的に示す模式図
【図１１】同溶解装置の構成（一次給水循環）を概念的に示す模式図
【図１２】同溶解装置の構成（循環１）を概念的に示す模式図
【図１３】同溶解装置の構成（循環２）を概念的に示す模式図
【図１４】同溶解装置の構成（最終給水）を概念的に示す模式図
【図１５】同溶解装置の構成（最終循環）を概念的に示す模式図
【図１６】同溶解装置の構成（微調整給水）を概念的に示す模式図
【図１７】同溶解装置の構成（濃度測定）を概念的に示す模式図
【図１８】同溶解装置の構成（送液準備）を概念的に示す模式図
【図１９】同溶解装置の構成（送液）を概念的に示す模式図
【図２０】同溶解装置の構成（送液切り替え及び給水）を概念的に示す模式図
【図２１】同溶解装置の構成（追加投入）を概念的に示す模式図
【図２２】同溶解装置の構成（送液切り替え及び移送）を概念的に示す模式図
【発明を実施するための形態】
【００２４】
以下、本発明の実施形態について図面を参照しながら具体的に説明する。
本実施形態に係る溶解装置１は、透析用粉末剤を溶解し透析用原液を得るものであって、図１〜５に示すように、透析用粉末剤を溶解して透析用原液を得るとともに、その溶解された透析用原液を所定量収容し得る第１溶解槽２及び第２溶解槽３と、攪拌手段４と、制御手段５と、液位検出手段６と、報知手段７と、表示手段８と、散水手段９とを有して構成されている。
【００２５】
第１溶解槽２は、給水源から供給された所定容量の水を収容可能とされるとともに、透析治療中においては、重炭酸ナトリウムを含まないもの（Ａ剤）又は重炭酸ナトリウム（Ｂ剤）の２種類のうち何れかから成る透析用粉末剤を投入可能な収容空間を有するものである。この第１溶解槽２には、給水源から延設された給水ラインＬ１が接続されている。かかる給水ラインＬ１には、図５に示すように、電磁弁等から成るバルブＶ１が配設されており、このバルブＶ１を開状態とすることにより第１溶解槽２内に給水可能とされている。
【００２６】
第２溶解槽３は、透析用粉末剤（透析治療中において第１溶解槽２に投入される透析用粉末剤と同種のもの）を投入して予め収容可能な空間を有するとともに、図５に示すように、当該第２溶解槽３と第１溶解槽２とを連結する接続ラインＬ４が接続されている。かかる接続ラインＬ４には、電磁弁等からなるバルブＶ２、Ｖ３、Ｖ４が配設されており、これらバルブＶ２、Ｖ３、Ｖ４を開状態にすることにより、第１溶解槽２内の液体を第２溶解槽３内に移送可能とされている。なお、本実施形態に係る第２溶解槽３は、第１溶解槽２に比べて相対的に容量が小さなタンクとされ、オーバーフローラインＬ５にて第１溶解槽２に接続されている。
【００２７】
また、第１溶解槽２は、給水ラインＬ１及び接続ラインＬ４の他、接続ラインＬ２が接続されている。かかる接続ラインＬ２は、送液ポンプＰ１が配設された流路から成り、一端が第１溶解槽２に接続されるとともに、他端が接続ラインＬ４における接続部ｂ（バルブＶ２とバルブＶ３との間の位置）に接続されている。送液ポンプＰ１は、接続ラインＬ２（本発明の「第１流路」）に取り付けられ、第１溶解槽２の液体を第２溶解槽３まで送液可能なポンプから成る。
【００２８】
さらに、接続ラインＬ２における接続部ａ（送液ポンプＰ１の配設部位と接続部ｂとの間の位置）には、送液ラインＬ３の基端が接続されている。かかる送液ラインＬ３は、ポンプＰ２が配設されるとともに、電磁弁等から成るバルブＶ５が配設されている。なお、送液ラインＬ３と接続ラインＬ４との間には、電磁弁等から成るバルブＶ６が配設された接続ラインＬ６が接続されている。
【００２９】
送液ラインＬ３は、その途中にポンプＰ２が配設されるとともに、先端が透析液供給装置Ｂ（図４参照）に接続されており、溶解装置１で作製された透析用原液を透析液供給装置Ｂに送液可能とされている。かかる透析液供給装置Ｂは、溶解装置１から送液された透析用原液を所定濃度に希釈して透析液を作製するもので、図４に示すように、配管を介して複数の透析装置Ａに接続されている。しかして、溶解装置１で作製された透析用原液は、透析液供給装置Ｂで所定濃度の透析液とされ、各透析装置Ａに送液されて透析治療が施されるようになっている。
【００３０】
しかるに、接続ラインＬ２、Ｌ４は、第１溶解槽２の底部と第２溶解槽３の底部とを連通して当該第１溶解槽２と第２溶解槽３との間で液体を流動させ得る「第１流路」を構成するとともに、オーバーフローラインＬ５は、第１溶解槽２の上部と第２溶解槽３の上部とを連通して当該第２溶解槽３内にて所定の液位を超えた液体を第１溶解槽２に流動（本実施形態においてはオーバーフロー）させ得る「第２流路」を構成するものである。
【００３１】
攪拌手段４は、第２溶解槽３の底面に配設されるとともに接続ラインＬ４に接続されたノズルから成り、接続ラインＬ４にて流動した液体を第２溶解槽３に導入する際、当該第２溶解槽３内で噴流を生じさせることにより液体の攪拌を可能とされたものである。なお、ノズルに代えて、例えば第２溶解槽３の底面に配設されてインペラ等を有する他の形態の攪拌手段としてもよい。
【００３２】
制御手段５は、例えば本溶解装置１に配設されたマイコン等から成り、送液ポンプＰ１
を制御して任意タイミングにて送液し得るものである。本実施形態に係る制御手段５は、送液ポンプＰ１の他、ポンプＰ２及びバルブＶ１〜Ｖ６等と電気的に接続されており、これら送液ポンプＰ１、ポンプＰ２及びバルブＶ１〜Ｖ６を任意タイミングで動作させ得るようになっている。すなわち、制御手段５の制御によって、本溶解装置１による準備溶解（透析治療前の溶解）及び追加溶解（透析治療中の溶解）を行うための動作が行われるのである。
【００３３】
ここで、本実施形態に係る溶解装置１の制御手段５は、透析用粉末剤の溶解過程において、送液ポンプＰ１を制御することにより第２溶解槽３内の液位を低下させる液位低下工程を行わせ得るよう構成されている。より具体的には、本実施形態においては、第２溶解槽３の方が第１溶解槽２より高い位置（第２溶解槽３の底面が第１溶解槽２の底面より上方になる位置）に配設されており、第１溶解槽２と第２溶解槽３との間で高低差を有するとともに、送液ポンプＰ１の駆動を停止させることにより、高低差（ヘッド差）により生じた液体の自重にて第２溶解槽３内の液体を第１溶解槽２に向かって流動させることにより液位低下工程が行われるようになっている。
【００３４】
液位検出手段６は、第１溶解槽２に配設されたセンサから成るもので、第１溶解槽２内に収容された透析用原液の液位を連続的且つリアルタイムに検出可能なものである。本実施形態に係る液位検出手段６は、第１溶解槽２内に収容された液体の液面に浮いて上下移動可能な浮き手段を有した磁歪式リニア変位センサで構成されており、浮き手段の位置を連続的且つリアルタイムに検出することにより、液面（すなわち液位）を検知可能とされている。
【００３５】
なお、液位検出手段６は、第１溶解槽２内に収容された透析用原液（供給された水又は溶液であってもよい）の液位を連続的且つリアルタイムに検出可能なものであれば、接触式又は非接触式のどちらのタイプでもよく、本実施形態の如く浮き手段による磁歪式リニア変位センサの他、超音波センサ等により構成するようにしてもよい。また、本実施形態においては、液位検出手段６が第１溶解槽２のみに配設されているが、当該第１溶解槽２と共に第２溶解槽３にも配設するようにしてもよい。
【００３６】
さらに、液位検出手段６は、報知手段７と電気的に接続されている。かかる報知手段７は、液位検出手段６で検出された透析用原液の液位に基づいて透析用粉末剤の追加投入タイミングを報知し得るもので、音声や効果音等を出力させるスピーカや警告灯などから構成されている。すなわち、液位検出手段６にて検出された液位が所定の高さより低く、透析用原液が不足すると予測される時点において、報知手段７にて報知することにより、追加の透析用粉末剤を医療従事者等の作業者に投入させ、追加溶解することにより透析用原液を追加で作製することができるのである。
【００３７】
表示手段８は、溶解装置１の筐体部に取り付けられ、溶解作業に関する種々表示を行い得る液晶モニタ等にて構成されるもので、本実施形態においてはタッチパネルにて構成されている。そして、表示手段８を構成するタッチパネルを触れることにより、所定の入力が可能とされている。なお、本実施形態においては、所定の入力と表示とを兼用するタッチパネルが配設されているが、入力手段と表示手段とを別個に具備するものとしてもよい。
【００３８】
散水手段９は、第２溶解槽３に配設されたシャワーから成り、液位低下工程中又は液位低下工程後、第２溶解槽３の内周壁面に固着した透析用粉末剤に向かって散水（水等を噴出）可能なものである。すなわち、準備溶解（透析治療前の溶解）における透析用粉末剤の溶解過程においては、攪拌手段４による攪拌効果が及び難い部位（第２溶解槽３の上部）の内周壁面に、水を含んで固まった透析用粉末剤が固着することがあるので、その固着した透析用粉末剤を散水によって内周壁面から剥離して液体内に崩落させることができるのである。
【００３９】
本実施形態に係る散水手段９は、給水源から延設された給水ラインＬ１から分岐させた散水ラインＬ７に接続されており、当該散水ラインＬ７に配設されたバルブＶ７（電磁弁）を開状態とすることにより散水し得るとともに、当該バルブＶ７を閉状態とすることにより散水を停止させ得るようになっている。なお、本実施形態においては、給水ラインＬ１から分岐させた散水ラインＬ７に散水手段９が取り付けられているが、給水ラインＬ１が接続された給水源とは別個の給水源から散水のための水を得るようにしてもよい。
【００４０】
次に、本実施形態に係る溶解装置１による準備溶解のための動作について、図６に示すフローチャート、及び図７〜図１８に示す概念図に基づいて説明する。
先ず、準備溶解を行うには、透析治療前（治療前日の夜等）において、図７に示すように、第２溶解槽３に所定量（準備溶解袋数）の透析用粉末剤を投入して予め収容させておく。そして、同図に示すように、制御手段５による制御を行って、バルブＶ１、Ｖ２を開状態としつつバルブＶ３〜Ｖ７を閉状態とし、送液ポンプＰ１及びポンプＰ２を停止状態とすることにより、給水源から給水ラインＬ１を介して第１溶解槽２に所定量の水を供給する（Ｓ１：一次給水）。
【００４１】
その後、図８に示すように、バルブＶ３、Ｖ４を開状態としつつバルブＶ１、Ｖ２、Ｖ５〜Ｖ７を閉状態とし、送液ポンプＰ１を駆動させることによって、第１溶解槽２に収容された水を第２溶解槽３に送り込む（Ｓ２：一次給水予備循環）。これにより、予め第２溶解槽３内に第１溶解槽２内の水が送り込まれて透析用粉末剤を溶解するとともに、その溶解液（透析用原液となる過程の溶液）がオーバーフローラインＬ５を介して第１溶解槽２にオーバーフローして循環することとなる。
【００４２】
ここで、本実施形態においては、図９に示すように、バルブＶ２〜Ｖ４を開状態としつつバルブＶ１、Ｖ５〜Ｖ７を閉状態とし、送液ポンプＰ１の駆動を停止させることにより液位低下工程Ｓ３が行われる。すなわち、本実施形態においては、既述のように、第２溶解槽３の方が第１溶解槽２より高い位置に配設され、第１溶解槽２と第２溶解槽３との間で高低差を有しているので、バルブＶ２〜Ｖ４を開状態として第１溶解槽２及び第２溶解槽３を連通した状態としつつ送液ポンプＰ１の駆動を停止させることにより、高低差（ヘッド差）により生じた液体の自重にて第２溶解槽３内の液体を第１溶解槽２に向かって流動させることにより液位低下工程Ｓ３が行われるのである。
【００４３】
かかる液位低下工程Ｓ３により、第２溶解槽３の上部における内周壁部に固着した透析用粉末剤を液面より上方の位置とすることができる。そして、液位低下工程Ｓ３が行われて所定時間が経過すると、図１０に示すように、バルブＶ２〜Ｖ４、Ｖ７を開状態としつつバルブＶ１、Ｖ５、Ｖ６を閉状態とし、送液ポンプＰ１の停止状態を維持することにより、第２溶解槽３内の液位が低下して外部に臨んだ透析用粉末剤（内周壁部に固着した透析用粉末剤）に対して散水手段９による散水が行われることとなる（Ｓ４：一次給水シャワー）。
【００４４】
これにより、液面を低下させた際に第２溶解槽３の内周壁面に固着した透析用粉末剤を液面より上方に位置させることができるので、浮力を失った透析用粉末剤（水分を含んで重さが増したもの）をその自重にて内周壁面から剥離させて液体内に崩落させることができる。また、散水によって第２溶解槽３の内周壁面に固着した透析用粉末剤の剥離や崩壊を効果的に行わせることができ、透析用粉末剤の溶解を促進させることができる。
【００４５】
上記の一次給水シャワーＳ４が所定時間行われた後、図１１に示すように、バルブＶ１〜Ｖ４を開状態としつつバルブＶ５〜Ｖ７を閉状態とし、送液ポンプＰ１を駆動させることにより、給水源から第１溶解槽２に水を供給しつつ当該第１溶解槽２と第２溶解槽３との間で液体を循環させる（Ｓ５：一次給水循環）。このとき、第１溶解槽２に供給される水の総量が規定量（所定濃度の透析液原液を作製するのに必要な水の量）の９０％程度となるようにするのが好ましい。
【００４６】
その後、図１２に示すように、バルブＶ３、Ｖ４を開状態としつつバルブＶ１、Ｖ２、Ｖ５〜Ｖ７を閉状態とし、送液ポンプＰ１の駆動を継続させることにより、循環１工程Ｓ６が行われるとともに、所定時間経過後、図１３に示すように、バルブＶ２を開状態としつつバルブＶ１、Ｖ３〜Ｖ７を閉状態とし、送液ポンプＰ１の駆動を継続させることにより、循環２工程Ｓ７が行われる。
【００４７】
かかる循環２工程Ｓ７の後、図１４に示すように、バルブＶ１、Ｖ２を開状態としつつバルブＶ３〜Ｖ７を閉状態とし、送液ポンプＰ１を停止させることにより、規定量の水が供給されることとなる最終給水工程Ｓ８が行われる。さらに、最終給水工程Ｓ８の後、図１５に示すように、バルブＶ３、Ｖ４を開状態としつつバルブＶ１、Ｖ２、Ｖ５〜Ｖ７を閉状態とし、送液ポンプＰ１を駆動させることにより、最終循環工程Ｓ９が行われる。
【００４８】
この最終循環工程Ｓ９が行われて所定時間経過後、図１６に示すように、バルブＶ１、Ｖ２を開状態としつつバルブＶ３〜Ｖ７を閉状態とし、送液ポンプＰ１を停止させることにより、微調整給水工程Ｓ１０が行われる。その後、図１７に示すように、バルブＶ２〜Ｖ４を開状態としつつバルブＶ１、Ｖ５〜Ｖ７を閉状態とし、送液ポンプＰ１を駆動させることにより、図示しない濃度センサにより作製した透析用原液の濃度を測定する濃度測定工程Ｓ１１が行われ、透析用原液の濃度が適正か否かを判断されるとともに、図１８に示すように、バルブＶ４〜Ｖ６を開状態としつつバルブＶ１〜Ｖ３、Ｖ７を閉状態とし、送液ポンプＰ１、ポンプＰ２を駆動させることにより、送液準備工程Ｓ１２が行われる。
【００４９】
しかして、上記のように第１溶解槽２及び第２溶解槽３のそれぞれに透析用原液が収容された状態において、図１９に示すように、バルブＶ５を開状態としつつバルブＶ１〜Ｖ４、Ｖ６、Ｖ７を閉状態とし、送液ポンプＰ１及びポンプＰ２を駆動させることにより、送液ラインＬ３を介して第１溶解槽２内の透析用原液を透析液供給装置Ｂに送液することができ、所定濃度の透析液を各透析装置Ａに供給させて透析治療を行わせることができる（Ｓ１３：原液供給）。
【００５０】
次に、本実施形態に係る溶解装置１による追加溶解のための動作について、図２０〜２２に示す概念図に基づいて説明する。
第１溶解槽２内の透析用原液を透析液供給装置Ｂに送液する過程において、液位検出手段６にて第１溶解槽２内の透析用原液の液位が所定高さに達したことを検出すると、報知手段７にて追加投入のための報知がなされる。この場合、図２０に示すように、バルブＶ１、Ｖ２、Ｖ４、Ｖ６を開状態としつつバルブＶ３、Ｖ５、Ｖ７を閉状態とし、給水源からの給水を行わせる一方、ポンプＰ２の駆動を継続して行わせることにより、第１溶解槽２に代えて第２溶解槽３内の透析用原液を透析液供給装置Ｂに送液する。
【００５１】
しかして、第１溶解槽２内に所定量（追加投入袋数）の追加の透析用粉末剤を投入させることができ、その投入された透析用粉末剤が給水源からの給水によって溶解されることとなる。なお、送液ポンプＰ１を駆動させることにより、透析用原液となる過程の溶液を循環させることができる。これにより、第１溶解槽２に代えて第２溶解槽３からの透析用原液の送液が引き続き行われるとともに、第１溶解槽２において追加の透析用粉末剤を投入させて溶解することができる。
【００５２】
そして、所定量の給水が行われると、図２１に示すように、バルブＶ２、Ｖ４、Ｖ６を開状態としつつバルブＶ１、Ｖ３、Ｖ５、Ｖ７を閉状態とし、給水源からの給水を停止する一方、送液ポンプＰ１及びポンプＰ２の駆動を継続して行わせることにより、第２溶解槽３から透析用原液の送液を引き続き行わせるとともに、第１溶解槽２内の透析用原液を循環させて攪拌し、均一な濃度の透析用原液を得ることができる。
【００５３】
上記のように第１溶解槽２に透析用原液が収容された状態において、図２２に示すように、バルブＶ２〜Ｖ５を開状態としつつバルブＶ１、Ｖ６、Ｖ７を閉状態とし、送液ポンプＰ１及びポンプＰ２を駆動させることにより、送液ラインＬ３を介して第１溶解槽２内の透析用原液を透析液供給装置Ｂに送液することができ、所定濃度の透析液を各透析装置Ａに供給させて透析治療を行わせることができる。このとき、第１溶解槽２内の透析用原液の一部は、第２溶解槽３内に移送され、オーバーフローラインＬ５にてオーバーフローする状態まで透析用原液が送り込まれることとなる。
【００５４】
その後、図１９に示すように、バルブＶ５を開状態としつつバルブＶ１〜Ｖ４、Ｖ６、Ｖ７を閉状態とし、送液ポンプＰ１及びポンプＰ２を駆動（送液ポンプＰ１及びポンプＰ２の何れか一方を駆動してもよい）させることにより、送液ラインＬ３を介して第１溶解槽２内の透析用原液を透析液供給装置Ｂに送液することができ、所定濃度の透析液を各透析装置Ａに供給させて透析治療を行わせることができる。これにより、第１溶解槽２にて追加溶解された透析用原液を透析液供給装置Ｂに供給することができるので、各透析装置Ａによる透析治療を継続して行わせることができる。
【００５５】
このように、本実施形態に係る溶解装置１は、透析治療中、患者に透析治療を施すための複数の透析装置Ａ側に第１溶解槽２及び第２溶解槽３の透析用原液を送液するのに伴って、追加の透析用粉末剤を所定量毎（本実施形態においては透析用粉末剤を収容する袋単位（袋数））に投入させて溶解し得るものであり、所謂バッチ式と称される溶解装置から成るものとされている。
【００５６】
上記実施形態によれば、透析用粉末剤の溶解過程において、送液ポンプＰ１を制御することにより第２溶解槽３内の液位を低下させる液位低下工程Ｓ３を行わせるので、透析用粉末剤の溶解過程において第２溶解槽３の内周壁面に固着した透析用粉末剤を容易且つ確実に溶解させることができる。すなわち、液位低下工程Ｓ３を行って透析用粉末剤の溶解過程において第２溶解槽３の液位を低下させることにより、当該第２溶解槽３の内周壁面に固着した透析用粉末剤を液面より上方に位置させることができるので、透析用粉末剤をその自重にて内周壁面から剥離させて液体内に崩落させることができるのである。
【００５７】
また、本実施形態においては、第１溶解槽２と第２溶解槽３との間で高低差を有するとともに、送液ポンプＰ１の駆動を停止させることにより液位低下工程が行われるので、送液ポンプＰ１の制御によって、第２溶解槽３の液体を第１溶解槽２に向かって自重で流出させることにより液位低下工程Ｓ３を行わせることができる。さらに、本実施形態においては、液位低下工程Ｓ３後（液位低下工程Ｓ３中であってもよい）、第２溶解槽３の内周壁面に固着した透析用粉末剤に向かって散水手段９にて散水するので、固着した透析用粉末剤の内周壁面からの剥離を散水によって促進することができる。
【００５８】
以上、本実施形態について説明したが、本発明はこれに限定されず、例えば送液ポンプＰ１を逆転駆動可能なポンプとし、当該逆転駆動させることにより液位低下工程Ｓ３が行われるようにしてもよい。このように、送液ポンプＰ１が逆転駆動可能とされ、当該逆転駆動させることにより液位低下工程Ｓ３が行われるようにすれば、送液ポンプＰ１の逆転駆動によって、第２溶解槽３の液体を第１溶解槽２に向かって強制的に流出させることにより液位低下工程Ｓ３を行わせることができる。なお、この場合、第１溶解槽２と第２溶解槽３との間で高低差を設けなくてもよく、溶解装置１内のレイアウトの自由度を向上させることができる。
【００５９】
また、液位低下工程Ｓ３に代え、一次給水Ｓ１から一次給水循環Ｓ５の間において、送液ポンプＰ１の駆動を断続的に行わせるようにしてもよい。すなわち、本実施形態おいては、第１溶解槽２と第２溶解槽３との間で高低差を有するので、送液ポンプＰ１を断続的に駆動させる（停止状態と駆動状態とを繰り返し行わせる）ことにより、停止状態のとき、第２溶解槽３内の液位を低下させることができる。これにより、液面を低下させた際に第２溶解槽３の内周壁面に固着した透析用粉末剤を液面より上方に位置させることができるので、透析用粉末剤をその自重にて内周壁面から剥離させて液体内に崩落させることができる。
【００６０】
さらに、散水手段９に代え、或いは散水手段９と共に、第２溶解槽３は、液位低下工程中又は液位低下工程後、その内周壁面に固着した透析用粉末剤に対して振動を付与し得る振動付与手段（ノッカーや加振手段等）を具備するようにしてもよい。この場合、液位低下工程中又は液位低下工程後、第２溶解槽３の内周壁面に固着した透析用粉末剤に対して振動を付与するので、固着した透析用粉末剤の内周壁面からの剥離を振動によって促進することができる。
【産業上の利用可能性】
【００６１】
透析用粉末剤の溶解過程において、送液ポンプを制御することにより第２溶解槽内の液位を低下させる液位低下工程を行わせる透析用粉末剤の溶解装置及び透析用粉末剤の溶解方法であれば、外観形状が異なるもの或いは他の機能が付加されたもの等にも適用することができる。
【符号の説明】
【００６２】
１  溶解装置
２  第１溶解槽
３  第２溶解槽
４  攪拌手段
５  制御手段
６  液位検出手段
７  報知手段
８  表示手段
９  散水手段
Ｐ１  送液ポンプ
Ｌ１  給水ライン
Ｌ２  接続ライン（第１流路）
Ｌ３  送液ライン
Ｌ４  接続ライン（第１流路）
Ｌ５  オーバーフローライン（第２流路）
Ｌ６  接続ライン
Ｌ７  散水ライン
Ａ  透析装置
Ｂ  透析液供給装置
【図１】
2018175285.tif 000003
【図２】
2018175285.tif 000004
【図３】
2018175285.tif 000005
【図４】
2018175285.tif 000006
【図５】
2018175285.tif 000007
【図６】
2018175285.tif 000008
【図７】
2018175285.tif 000009
【図８】
2018175285.tif 000010
【図９】
2018175285.tif 000011
【図１０】
2018175285.tif 000012
【図１１】
2018175285.tif 000013
【図１２】
2018175285.tif 000014
【図１３】
2018175285.tif 000015
【図１４】
2018175285.tif 000016
【図１５】
2018175285.tif 000017
【図１６】
2018175285.tif 000018
【図１７】
2018175285.tif 000019
【図１８】
2018175285.tif 000020
【図１９】
2018175285.tif 000021
【図２０】
2018175285.tif 000022
【図２１】
2018175285.tif 000023
【図２２】
2018175285.tif 000024